(57)【要約】【課題】仕分作業の労力を低減し仕分精度を向上させる仕分けシステムを提供する。【解決手段】仕分けシステム１００は、配送先に対応して設けられる集品エリア２に配置される第１無線表示器１０ａと、物品を収容するコンテナ３に装着される第２無線表示器１０ｂと、サーバ通信部４２及び表示データ生成部４７を有する管理サーバ４０とを備える。第１無線表示器１０ａ及び第２無線表示器１０ｂは、サーバ通信部４２と通信を行う無線通信部１１と、通信機器２０と近距離無線通信を行う近距離無線通信部１２と、受信した表示データに基づき情報を表示する情報表示部１３とを有する。第１無線表示器１０ａは、通信機器２０との近距離無線通信を契機に登録開始通知信号を管理サーバ４０へ送信する。管理サーバ４０は、登録開始通知信号の受信を契機に対応する表示データを表示データ生成部４７で生成し第２無線表示器１０ｂへ送信する。【選択図】図１５
2017124881.tif 000002
【特許請求の範囲】
【請求項１】
配送先の店舗に対応して設けられ配送される物品が集められる集品エリア、に配置される第１無線表示器と、
前記物品を収容する配送コンテナに装着される第２無線表示器と、
前記第１無線表示器及び前記第２無線表示器と通信可能な態様で通信ネットワークに接続されるサーバ通信部と、前記第１無線表示器及び前記第２無線表示器において表示させる表示データを生成する表示データ生成部と、を有する管理サーバと、
を備え、
前記第１無線表示器及び前記第２無線表示器は、前記通信ネットワークを介して前記サーバ通信部と通信を行う無線通信部と、近距離無線通信機能を有する通信機器に接近されることで前記通信機器と近距離無線通信を行う近距離無線通信部と、受信した前記表示データに基づき情報を表示する表示部と、を有し、
前記第１無線表示器は、前記近距離無線通信部において前記通信機器と前記近距離無線通信を行うことを契機として、伝送信号を前記無線通信部から前記管理サーバへ送信し、
前記管理サーバは、前記伝送信号を受信することを契機として、前記伝送信号の送信元の前記第１無線表示器に対応する前記表示データを前記表示データ生成部によって生成し、生成された前記表示データを前記サーバ通信部によって前記第２無線表示器へ送信する、
仕分けシステム。
【請求項２】
前記第２無線表示器は、前記近距離無線通信部において前記通信機器と前記近距離無線通信を行うことを契機として、前記無線通信部において前記表示データを受信可能な受信可能状態となる、
請求項１に記載の仕分けシステム。
【請求項３】
前記第１無線表示器及び前記第２無線表示器は、前記近距離無線通信部において前記通信機器と前記近距離無線通信を行うことにより、前記通信機器を識別する機器識別情報を受信し、
前記第１無線表示器は、受信した前記機器識別情報を前記伝送信号に含めて前記管理サーバへ送信し、
前記管理サーバは、受信した前記機器識別情報を前記表示データに含めて前記第２無線表示器へ送信し、
前記第２無線表示器は、前記管理サーバから送信された前記表示データが自己宛に送信されたものであるか否かを前記表示データに含まれる前記機器識別情報に基づき判断する判断部をさらに有する、
請求項１又は２に記載の仕分けシステム。
【請求項４】
前記表示データには、前記配送先の店舗名を示す情報が含まれる、
請求項１から３のいずれか１項に記載の仕分けシステム。
【請求項５】
前記表示データを受信した前記第２無線表示器は、前記表示データを受信したことを通知する受信通知信号を前記無線通信部によって前記管理サーバへ送信する、
請求項１から４のいずれか１項に記載の仕分けシステム。
【請求項６】
前記管理サーバは、前記サーバ通信部において受信した前記受信通知信号の数に基づき前記配送先の店舗毎に配送される前記配送コンテナの数を集計する集計部をさらに有する、
請求項５に記載の仕分けシステム。
【請求項７】
前記表示データには、前記集計部における集計結果に基づく前記配送コンテナの数を示す情報が含まれる、
請求項６に記載の仕分けシステム。
【発明の詳細な説明】
【技術分野】
【０００１】
本発明は、仕分けシステムに関する。
【背景技術】
【０００２】
従来、スーパーマーケットやコンビニエンスストア等に物品を配送する配送センターにおいて、物品の仕分け作業の一部を自動化して仕分けに係る労力を低減する仕分けシステムが知られている。例えば、特許文献１（特開平９−１８８４０３号公報）には、配送先の店舗別に配送される物品を集める集品エリアにおいて、物品を収容する配送コンテナの数を集計する個数表示器が配置され、個数表示器に入力される情報に基づき、配送先の店舗名、商品名及び個数等の配送情報を印字したラベルを発行する仕分けシステムが開示されている。特許文献１では、ラベル発行に係る労力が削減されている。
【発明の概要】
【発明が解決しようとする課題】
【０００３】
しかし、特許文献１に記載の仕分けシステムでは、仕分け作業の作業者が、ラベルプリンタにより発行されたラベルを取りに行き、対応する配送コンテナにラベルを貼付する必要があるため、ラベル貼付に係る労力を要する。また、人手を介してラベルが配送コンテナに貼り付けられるため、ラベルの貼付ミスが生じうる。すなわち、物品が正確に仕分けられないケースも想定される。
【０００４】
そこで、本発明の課題は、物品の仕分作業に係る労力を低減するとともに、物品の仕分けに係る精度を向上させる仕分けシステムを提供する。
【課題を解決するための手段】
【０００５】
本発明の第１観点に係る仕分けシステムは、第１無線表示器と、第２無線表示器と、管理サーバと、を備える。第１無線表示器は、集品エリアに配置される。集品エリアは、配送先の店舗に対応して設けられる。集品エリアには、配送される物品が集められる。第２無線表示器は、配送コンテナに装着される。配送コンテナは、物品を収容する。管理サーバは、サーバ通信部と、表示データ生成部と、を有する。サーバ通信部は、第１無線表示器及び第２無線表示器と通信可能な態様で通信ネットワークに接続される。表示データ生成部は、表示データを生成する。表示データは、第１無線表示器及び第２無線表示器において表示させる情報である。第１無線表示器及び第２無線表示器は、無線通信部と、近距離無線通信部と、表示部と、を有する。無線通信部は、通信ネットワークを介してサーバ通信部と通信を行う。近距離無線通信部は、近距離無線通信機能を有する通信機器に接近されることで、通信機器と近距離無線通信を行う。表示部は、受信した表示データに基づき、情報を表示する。第１無線表示器は、近距離無線通信部において通信機器と近距離無線通信を行うことを契機として、伝送信号を無線通信部から管理サーバへ送信する。管理サーバは、伝送信号を受信することを契機として、伝送信号の送信元の第１無線表示器に対応する表示データを、表示データ生成部によって生成する。管理サーバは、生成された表示データを、サーバ通信部によって第２無線表示器へ送信する。
【０００６】
本発明の第１観点に係る仕分けシステムでは、第１無線表示器は、近距離無線通信部において通信機器と近距離無線通信を行うことを契機として伝送信号を無線通信部から管理サーバへ送信し、管理サーバは、伝送信号を受信することを契機として伝送信号の送信元の第１無線表示器に対応する表示データを表示データ生成部によって生成し、生成された表示データをサーバ通信部によって第２無線表示器へ送信する。これにより、第１無線表示器及び第２無線表示器と、通信機器と、が接近されると、管理サーバから第２無線表示器に表示データが送信される。すなわち、仕分け作業の作業者が、第１無線表示器及び第２無線表示器に対して通信機器を接近させるのみで、ラベルに代えて配送コンテナに配置された第２無線表示器に対して表示データが送信され、第２無線表示器において配送に係る情報が表示される。よって、作業者が、配送コンテナにラベルを貼付する必要がなく、ラベル貼付に係る労力が削減される。また、作業者による配送コンテナへのラベルの貼付ミスが生じえず、第２無線表示器においては管理サーバから送信された表示データが送信されるため、物品が正確に仕分けられない事態が抑制される。よって、仕分け作業に係る労力が低減されるとともに、物品の仕分けに係る精度が向上する。
【０００７】
なお、ここでの「通信機器」には、ＮＦＣを有する情報処理端末、ＩＣカード、又は近接スイッチを含む機器等が含まれる。
【０００８】
本発明の第２観点に係る仕分けシステムは、第１観点に係る仕分けシステムであって、第２無線表示器は、近距離無線通信部において通信機器と近距離無線通信を行うことを契機として、受信可能状態となる。受信可能状態は、無線通信部において表示データを受信可能な状態である。
【０００９】
これにより、通信機器と近距離無線通信を行った第２無線表示器のみが、管理サーバから送信された表示データを受信する。すなわち、作業者が通信機器を接近させた特定の第２無線表示器のみにおいて、対応する表示データが受信され表示される。その結果、第２無線表示器において、関連性のない他の集品エリアの配送情報が表示されることが抑制される。よって、仕分け作業に係る労力が低減されるとともに、物品の仕分けに係る精度がさらに向上する。
【００１０】
本発明の第３観点に係る仕分けシステムは、第１観点又は第２観点に係る仕分けシステムであって、第１無線表示器及び第２無線表示器は、近距離無線通信部において通信機器と近距離無線通信を行うことにより、通信機器を識別する機器識別情報を受信する。第１無線表示器は、機器識別情報を伝送信号に含めて管理サーバへ送信する。管理サーバは、受信した機器識別情報を表示データに含めて第２無線表示器へ送信する。第２無線表示器は、判断部をさらに有する。判断部は、管理サーバから送信された表示データが自己宛に送信されたものであるか否かを、表示データに含まれる機器識別情報に基づき判断する。
【００１１】
これにより、通信機器と近距離無線通信を行った第２無線表示器のみが、管理サーバから送信された表示データを受信する。すなわち、作業者が通信機器を接近させた特定の第２無線表示器のみにおいて、対応する表示データが受信され表示される。その結果、第２無線表示器において、関連性のない他の集品エリアの配送情報が表示されることが抑制される。よって、仕分け作業に係る労力が低減されるとともに、物品の仕分けに係る精度がさらに向上する。
【００１２】
本発明の第４観点に係る仕分けシステムは、第１観点から第３観点のいずれかに係る仕分けシステムであって、表示データには、配送先の店舗名を示す情報が含まれる。
【００１３】
これにより、通信機器と近距離無線通信を行った第２無線表示器において、配送先の店舗名が表示される。その結果、配送コンテナの視認者に、いずれの店舗へ配送される配送コンテナであるかを判別させることが容易に可能となる。このため、配送コンテナの誤配や配送漏れを抑制することが可能となる。よって、仕分け作業に係る労力が低減されるとともに、物品の仕分け後の積み込みや配送作業に係る精度及び利便性が向上する。
【００１４】
本発明の第５観点に係る仕分けシステムは、第１観点から第４観点のいずれかに係る仕分けシステムであって、表示データを受信した第２無線表示器は、受信通知信号を無線通信部によって管理サーバへ送信する。受信通知信号は、表示データを受信したことを通知する信号である。
【００１５】
これにより、管理サーバにおいて、受信通知信号を利用して各種処理を実行することが可能となる。例えば、管理サーバは、受信通知信号を受信しない場合に、表示データの通信異常が生じていると判定して作業者に報知することが可能となる。また、例えば、受信通知信号の数に応じて配送される配送コンテナ数を集計することが可能となる。よって、利便性が向上する。
【００１６】
本発明の第６観点に係る仕分けシステムは、第５観点に係る仕分けシステムであって、管理サーバは、集計部をさらに有する。集計部は、サーバ通信部において受信した受信通知信号の数に基づき、配送先の店舗毎に配送される配送コンテナの数を集計する。
【００１７】
これにより、管理サーバにおいて配送される配送コンテナ数が集計される。すなわち、配送された配送コンテナ数を自動で集計することが可能となる。その結果、集計結果を用いた各種情報管理を行うことが可能となっている。よって、仕分作業に係る労力がさらに低減するとともに、配送コンテナの管理が行いやすくなっており利便性に優れる。
【００１８】
本発明の第７観点に係る仕分けシステムは、第６観点に係る仕分けシステムであって、表示データには、集計部における集計結果に基づく配送コンテナの数を示す情報が含まれる。
【００１９】
これにより、通信機器と近距離無線通信を行った第２無線表示器において、集品エリア内の配送コンテナ数が表示される。よって、配送コンテナの誤配、配送漏れ又は回収漏れが抑制される。
【発明の効果】
【００２０】
本発明に係る仕分けシステムでは、第１無線表示器及び第２無線表示器と、通信機器と、が接近されると、管理サーバから第２無線表示器に表示データが送信される。すなわち、仕分け作業の作業者が、第１無線表示器及び第２無線表示器に対して通信機器を接近させるのみで、ラベルに代えて配送コンテナに配置された第２無線表示器に対して表示データが送信され、第２無線表示器において配送に係る情報が表示される。よって、作業者が、配送コンテナにラベルを貼付する必要がなく、ラベル貼付に係る労力が削減される。また、作業者によるコンテナへのラベルの貼付ミスが生じえず、第２無線表示器においては管理サーバから送信された表示データが送信されるため、物品が正確に仕分けられない事態が抑制される。よって、仕分け作業に係る労力が低減されるとともに、物品の仕分けに係る精度が向上する。
【図面の簡単な説明】
【００２１】
【図１】本発明の一実施形態に係る仕分けシステムの概略構成図。
【図２】無線表示器の正面外観図。
【図３】無線表示器の概略構成を示したブロック図。
【図４】通信機器の概略構成を示したブロック図。
【図５】管理サーバの概略構成を示したブロック図。
【図６】機器所持者テーブルの模式図。
【図７】表示器設置テーブルの模式図。
【図８】集品エリア情報テーブルの模式図。
【図９】登録情報テーブルの模式図。
【図１０】案内表示データが第１無線表示器において表示情報として表示される際の一例を示した模式図。
【図１１】配送先表示データが第２無線表示器において表示情報として表示される際の一例を示した模式図。
【図１２】第１無線表示器の登録処理に係る処理の流れの一例を示したフローチャート。
【図１３】第２無線表示器の登録処理に係る処理の流れの一例を示したフローチャート。
【図１４】管理サーバの登録処理に係る処理の流れの一例を示したフローチャート。
【図１５】仕分けシステムにおいて、いずれかの集品エリアにおける登録処理に関し、第１無線表示器、第２無線表示器、通信機器、及び管理サーバ間で行われる処理の一例を模式的に示したシーケンス図。
【図１６】変形例Ａにおいて配送先表示データ及び集計したコンテナの数量に係るデータが無線表示器で表示情報として表示される際の一例を示した模式図。
【図１７】変形例Ａにおいて配送先表示データ及び集計したコンテナの数量に係るデータが第２無線表示器で表示情報として表示される際の他の一例を示した模式図。
【発明を実施するための形態】
【００２２】
以下、図面を参照しながら、本発明の一実施形態に係る仕分けシステム１００について説明する。なお、以下の実施形態は、本発明の具体例であって、本発明の技術的範囲を限定するものではなく、発明の要旨を逸脱しない範囲で適宜変更が可能である。
【００２３】
（１）仕分けシステム１００の概要
図１は、本発明の一実施形態に係る仕分けシステム１００の概略構成図である。
【００２４】
仕分けシステム１００は、対象物（表示する情報に係る物品や空間）と対応づけられた所定の位置において複数の無線表示器（無線表示器１０）を配置し、各無線表示器において、管理装置（管理サーバ４０）から送信された表示データを対象物に関する情報として適宜表示することで、物品の仕分け作業の一部を自動化して仕分けに係る労力を低減するシステムである。本実施形態において、仕分けシステム１００は、配送センターや出荷センター等の物流センター１に適用されている。
【００２５】
物流センター１においては、多種類の物品が在庫として保管されており、保管されている物品が、受注に応じて配送先店舗へ適宜発送される。物流センター１においては、配送先店舗に応じた数の集品エリア２が設けられている。各集品エリア２は、いずれかの配送先店舗と１対１で対応付けられている。各集品エリア２には、対応する配送先店舗へ配送される物品が集められる。集品エリア２において、集められた物品は、コンテナ３に収容される。集品エリア２において、コンテナ３は、発送する物品の数に応じて複数積み上げられる。
【００２６】
集品エリア２においては、物流センター１のスタッフＳＴによって、物品の配送準備に係る複数の処理が行われる。例えば、集品エリア２においては、物品の仕分け処理が行われる。仕分け処理では、所定のコンテナ保管場所（図示省略）に保管されているコンテナ３が集品エリア２に持ちこまれ、配送物である物品をコンテナ３に収容する作業が繰り返し行われる。仕分け処理では、配送される物品の数に応じて、集品エリア２にコンテナ３が追加的に持ち込まれる。
【００２７】
また、集品エリア２においては、仕分け処理が完了すると、配送に係るコンテナ３を登録する登録処理が行われる。係る登録処理の完了後、集品エリア２内の各コンテナ３を、当該集品エリア２に対応する配送先店舗への配送を担当する運搬車に積み込む積込み処理が行われる。
【００２８】
仕分けシステム１００は、主に上記登録処理を補助するシステムである。なお、物流センター１において、各集品エリア２には集品エリア２を一意に識別する識別コードが割り振られており、各コンテナ３にはコンテナ３を一意に識別する識別番号が割り振られており、各スタッフＳＴにはスタッフＳＴを一意に識別するスタッフコードが割り振られている。
【００２９】
仕分けシステム１００は、主として、複数の無線表示器１０と、通信機器２０と、アクセスポイント３０と、管理サーバ４０と、を有している。仕分けシステム１００が有する無線表示器１０には、第１無線表示器１０ａと、第２無線表示器１０ｂと、が含まれる。
【００３０】
第１無線表示器１０ａは、集品エリア２と１対１に対応付けられた無線表示器であり、対応する集品エリア２内に配置される。第２無線表示器１０ｂは、コンテナ３と１対１に対応付けられた無線表示器であり、コンテナ３に装着される。なお、本明細書においては、第１無線表示器１０ａ及び第２無線表示器１０ｂを併せて、「無線表示器１０」と総称する。
【００３１】
仕分けシステム１００では、管理サーバ４０と各アクセスポイント３０とが、ネットワークＮＷ１を介して通信可能に接続されている。ネットワークＮＷ１は、物流センター１の構外において構築されたＷＡＮ（Wide Area Network）であり、例えば公衆回線を用いて構築されるインターネットである。なお、ＮＷ１とアクセスポイント３０との間においては、通信ケーブル等によって伝送路が構築されている。伝送路上には、モデム又はＯＮＵ等の信号変換装置が配置される（図示省略）。
【００３２】
仕分けシステム１００では、各無線表示器１０と各アクセスポイント３０とが、ネットワークＮＷ２を介して無線通信を行う。ネットワークＮＷ２は、物流センター１の構内において構築されている無線ＬＡＮ（Local Area Network）である。また、仕分けシステム１００では、各無線表示器１０と通信機器２０とが、近距離無線ネットワークＮＷ３を介して近距離無線通信を行う。
【００３３】
なお、本実施形態において「無線通信」は、いわゆるWi-Fi（登録商標）やBluetooth（登録商標）等、無線LANにおいて所定の周波数（例えば２．４GHzや５GHz）を用いて行われる無線通信を想定している。また、「近距離無線通信」は、いわゆるNFC（Near Field Communication）等の通信規格であり、無線通信とは異なる周波数（例えば１３．５６ＭＨｚ）を用いて数センチからおよそ1メートル程度の近距離における通信を可能とする通信方式を想定している。
【００３４】
仕分けシステム１００では、各無線表示器１０は自己を識別する識別情報（表示器ＩＤ）を保有しており、通信機器２０は自己を識別する識別情報（機器ＩＤ）を有している。
【００３５】
仕分けシステム１００では、管理サーバ４０において表示データが生成され、係る表示データがネットワークＮＷ１及びＮＷ２を介して無線表示器１０へ送られ、受信した無線表示器１０によって表示される。
【００３６】
（２）仕分けシステム１００の詳細
（２−１）無線表示器１０
図２は、無線表示器１０の正面外観図である。図３は、無線表示器１０の概略構成を示したブロック図である。
【００３７】
無線表示器１０は、中継装置（アクセスポイント３０）との無線通信を介して、管理サーバ４０と互いに信号の送受信を行う。また、無線表示器１０は、近距離無線通信機能を有しており、通信機器２０と近距離無線通信を行う。
【００３８】
無線表示器１０は、無線通信により受信した表示データに基づき、情報（表示情報）を表示する。また、無線表示器１０は、所定のタイミングに応じて、管理サーバ４０に向けて信号を送信する。
【００３９】
例えば、第１無線表示器１０ａは、近距離無線通信によって通信機器２０から送信された登録処理を行う旨の信号（登録開始信号）を受信した際には、受信した登録開始信号に自己の表示器ＩＤ（無線表示器１０の識別情報）を特定する情報を含めた登録開始通知信号（伝送信号）を管理サーバ４０に対して送信する。なお、後述するが、登録開始信号には、通信機器２０の機器ＩＤ（機器識別情報）を特定するデータが含まれる。すなわち、管理サーバ４０に送信される登録開始通知信号には、第１無線表示器１０ａの表示器ＩＤと、通信機器２０の機器ＩＤと、が含まれる。
【００４０】
また、例えば、第２無線表示器１０ｂは、管理サーバ４０から送信された所定の表示データ（後述する配送先表示データ）を受信した際には、係る配送先表示データを受信したことを通知する信号（表示データ受信通知信号）を管理サーバ４０に対して送信する。
【００４１】
無線表示器１０は、外郭を構成する表示器ケーシング１０１を有している。また、無線表示器１０は、主として、他の機器と無線通信を行う通信モジュールを含む無線通信部１１と、他の機器と近距離無線通信を行う近距離通信モジュールを含む近距離無線通信部１２と、表示情報を表示する情報表示部１３と、各部に駆動電源を供給する電源部１４と、各部の動作を制御する表示器制御部１５と、電源制御部１６と、を表示器ケーシング１０１内に有している。
【００４２】
（２−１−１）表示器ケーシング１０１
表示器ケーシング１０１は、薄型の略直方体状の筐体である。表示器ケーシング１０１の正面（一方主面）には、大きな開口が形成されており、当該開口を介して、情報表示部１３（より詳細には情報表示部１３のカバー部分）が外部に露出している。
【００４３】
（２−１−２）無線通信部１１
無線通信部１１は、アクセスポイント３０と電波を用いた無線通信（より詳細にはネットワークＮＷ２を介した管理サーバ４０との通信）を行うためのモジュールである。本実施形態において、無線通信部１１は、所定周波数の電波を使用して無線通信を行うためのアンテナ、通信回路及びベースバンドＬＳＩを含んでいる。
【００４４】
（２−１−３）近距離無線通信部１２
近距離無線通信部１２は、無線表示器１０及び通信機器２０間における近距離無線通信を行うためのユニットである。近距離無線通信部１２は、通信機器２０の機器通信部２１に接近されることで、磁界を発生させ通信機器２０の機器通信部２１内のアンテナに誘導電流を生じさせる。これにより、近距離無線ネットワークＮＷ３が形成され、無線表示器１０及び通信機器２０間において近距離無線通信（信号の送受信）が可能となる。
【００４５】
なお、表示器ケーシング１０１の表面には、スタッフＳＴが無線表示器１０及び通信機器２０間における近距離無線通信を行う際（すなわち、通信機器２０を近距離無線通信部１２に接近させる際）、近距離無線通信部１２の位置が把握されやすいように、正面視において近距離無線通信部１２に重畳する位置に、所定のマークが印字されたシール１２ａが貼り付けられている。
【００４６】
（２−１−４）情報表示部１３（表示部）
情報表示部１３は、電気泳動方式、電子粉流体方式、液晶方式、又はエレクトロウェッティング方式等の電子ペーパを有している（図示省略）。情報表示部１３は、表示器制御部１５と電気的に接続されており、表示器制御部１５によって電子ペーパの動作を制御される。情報表示部１３は、表示器制御部１５から所定の駆動電圧を供給されることで、管理サーバ４０から送信された表示データに基づく表示情報を表示する。例えば、情報表示部１３においては、受信した表示データに基づき、配送先店舗に関する表示情報（配送先の店舗名、店舗番号等に係る情報）が表示される。
【００４７】
（２−１−５）電源部１４
電源部１４は、無線表示器１０の駆動電源を供給するためのユニットである。電源部１４は、リチウム電池等の電池を含んでいる（図示省略）。
【００４８】
（２−１−６）表示器制御部１５
表示器制御部１５は、無線表示器１０の動作を制御する機能部である。表示器制御部１５は、ＣＰＵ及びメモリを含むマイクロコンピュータを有している。表示器制御部１５は、主として、表示器記憶部１５１と、表示制御部１５２と、登録制御部１５３と、取得部１５４と、を含んでいる。
【００４９】
表示器記憶部１５１は、ＲＡＭ、ＲＯＭ及びフラッシュメモリ等のメモリで構成され、複数の記憶領域を含んでいる。例えば、表示器記憶部１５１にはプログラム記憶領域Ｍ１が含まれる。プログラム記憶領域Ｍ１には、表示器制御部１５の処理や、他の装置との通信に使用される通信プロトコル等が定義された制御プログラムが格納されている。なお、第１無線表示器１０ａのプログラム記憶領域Ｍ１に格納される制御プログラムと、第２無線表示器１０ｂのプログラム記憶領域Ｍ１に格納される制御プログラムと、は相違する。
【００５０】
また、表示器記憶部１５１にはＩＤ記憶領域Ｍ２が含まれている。ＩＤ記憶領域Ｍ２には、無線表示器１０の表示器ＩＤが記憶されている。表示器ＩＤは、無線通信における無線表示器１０の通信アドレスとして用いられる。
【００５１】
また、表示器記憶部１５１には表示データ記憶領域Ｍ３が含まれている。表示データ記憶領域Ｍ３には、受信した表示データが記憶される。
【００５２】
また、表示器記憶部１５１には通信機器２０から送信された信号を記憶する登録データ記憶領域Ｍ４が含まれる。登録データ記憶領域Ｍ４には、近距離無線通信部１２を介して受信した所定の情報が記憶される。例えば、登録データ記憶領域Ｍ４には、近距離無線通信部１２を介して受信した登録開始信号が記憶される。なお、登録データ記憶領域Ｍ４には、登録開始信号の送信元の通信機器２０の機器ＩＤに係る情報についても記憶される。
【００５３】
表示制御部１５２は、制御プログラムに沿って情報表示部１３の動作を制御する。表示制御部１５２は、表示データ記憶領域Ｍ３に記憶されている（すなわち、管理サーバ４０から送信された）表示データを取得する。表示制御部１５２は、取得した表示データに基づく表示情報が情報表示部１３において表示されるように、情報表示部１３に対して所定の電圧を供給する。
【００５４】
登録制御部１５３は、表示器記憶部１５１に所定の情報が格納されることを契機として、所定の情報を管理サーバ４０へ送信する。例えば、第１無線表示器１０ａにおいては、登録データ記憶領域Ｍ４に登録開始信号が新たに格納されると、登録制御部１５３は、当該登録開始信号とＩＤ記憶領域Ｍ２に含まれる表示器ＩＤとを含む登録開始通知信号を、無線通信部１１から管理サーバ４０に宛てて送信する。また、例えば、第２無線表示器１０ｂにおいては、表示データ記憶領域Ｍ３に表示データが新たに格納されると、登録制御部１５３は、ＩＤ記憶領域Ｍ２に含まれる表示器ＩＤを含む表示データ受信通知信号（受信通知信号）を、応答信号として無線通信部１１から管理サーバ４０に対して送信する。
【００５５】
取得部１５４（判断部）は、管理サーバ４０から送信された表示データに関し、自己宛てに送信された表示データであるか否かを、表示データに付加された所定の情報に基づいて判断し、判断の結果、自己宛てに送信されたと判断した表示データを表示データ記憶領域Ｍ３に格納する機能部である。
【００５６】
例えば、第１無線表示器１０ａは、管理サーバ４０から送信された表示データに付加されている宛先アドレスに基づき、送信された表示データが自己宛に送信されたものか否かを判断する。第１無線表示器１０ａは、宛先アドレスとして自己の通信アドレス（表示器ＩＤ）が付加された表示データを、自己宛に送信された表示データと判断する。
【００５７】
また、例えば第２無線表示器１０ｂは、管理サーバ４０からブロードキャスト送信された表示データに付加されている機器ＩＤ（通信機器２０の識別情報）に基づき、送信された表示データが自己宛に送信されたものか否かを判断する。第２無線表示器１０ｂは、自己が受信した登録開始信号に含まれる機器ＩＤと一致する機器ＩＤが付加された表示データを、自己宛に送信された表示データと判断する。
【００５８】
（２−１−７）電源制御部１６
電源制御部１６は、電源部１４から表示器制御部１５への駆動電源の供給及び遮断を切り換えるための機能部である。電源部１４と表示器制御部１５とを結ぶ電源供給ライン上に配置された半導体スイッチ或いはリレー等の切換部１６１を含んでいる。電源制御部１６は、近距離無線通信部１２と電気的に接続されており、近距離無線通信部１２を介して通信機器２０から送信された所定の信号（起動信号）を受信すると、切換部１６１を開状態（遮断状態）から閉状態（導通状態）に切り換える。その結果、電源部１４から表示器制御部１５への駆動電源が供給され、無線表示器１０は起動状態となる。起動状態は、無線通信によって管理サーバ４０から送信された情報（例えば表示データ等の情報）を受信可能な状態である。
【００５９】
また、電源制御部１６は、起動信号を受信してから所定時間ｔ１（例えば１分）が経過すると、切換部１６１を開状態に切り換える。その結果、電源部１４から表示器制御部１５への駆動電源の供給が遮断され、無線表示器１０は待機状態となる。待機状態は、無線通信によって管理サーバ４０から送信された情報（例えば表示データ等の情報）が受信されない状態である。
【００６０】
（２−２）通信機器２０
図４は、通信機器２０の概略構成を示したブロック図である。通信機器２０は、各スタッフＳＴが登録処理を行うための機器である。通信機器２０は、例えば、スマートフォンやタブレットＰＣ等の携帯通信端末を想定している。通信機器２０は、各スタッフＳＴに割り当てられている。すなわち、各通信機器２０は、いずれかのスタッフＳＴに対応付けられている。通信機器２０は、登録処理に係る機能部として、主に、機器通信部２１と、機器電源部２２と、機器入力部２３と、機器制御部２４と、を有している。
【００６１】
（２−２−１）機器通信部２１
機器通信部２１は、無線表示器１０に対し所定の出力信号（起動信号及び登録開始信号等）を送信するためのユニットである。機器通信部２１は、近距離無線通信用のアンテナ及びリーダ／ライタを含む。本実施形態では、機器通信部２１と、無線表示器１０（より詳細には、無線表示器１０の近距離無線通信部１２）と、が接近することにより無線表示器１０及び通信機器２０間における近距離無線通信が行われる。
【００６２】
（２−２−２）機器電源部２２
機器電源部２２は、通信機器２０の駆動電源を供給するためのユニットである。機器電源部２２は、リチウム電池等の電池を含んでいる（図示省略）。
【００６３】
（２−２−３）機器入力部２３
機器入力部２３は、スタッフＳＴがコマンドを入力するための入力キー（図示省略）を含む。スタッフＳＴは、係る入力キーを介して登録開始信号の送信に係るコマンドを入力する。
【００６４】
（２−２−４）機器制御部２４
機器制御部２４は、通信機器２０の動作を制御する機能部である。機器制御部２４は、ＣＰＵ及びメモリを含むマイクロコンピュータを有している。機器制御部２４は、主として、機器記憶部２４１と、出力制御部２４２と、を含んでいる。
【００６５】
機器記憶部２４１は、ＲＡＭ、ＲＯＭ及びフラッシュメモリ等のメモリで構成され、複数の記憶領域を含んでいる。機器記憶部２４１にはプログラム記憶領域Ｍ１１が含まれ、プログラム記憶領域Ｍ１１には機器制御部２４の処理や、他の装置との通信に使用される通信プロトコル等が定義された制御プログラムが格納されている。また、機器記憶部２４１にはＩＤ記憶領域Ｍ１２が含まれ、ＩＤ記憶領域Ｍ１２には通信機器２０の識別情報に相当する装置ＩＤ（機器ＩＤ）が記憶されている。また、機器記憶部２４１には入力信号記憶領域Ｍ１３が含まれ、入力信号記憶領域Ｍ１３には、機器入力部２３を介して入力されたコマンドが記憶されている。
【００６６】
出力制御部２４２は、機器通信部２１において無線表示器１０との近距離無線通信が開始されると、起動信号を機器通信部２１から無線表示器１０に対して送信する。その後、出力制御部２４２は、入力信号記憶領域Ｍ１３に格納されたコマンドに基づき、登録開始信号を機器通信部２１から無線表示器１０に対して送信する。この際、出力制御部２４２は、ＩＤ記憶領域Ｍ１２に含まれる機器ＩＤ（機器識別情報）を含めて登録開始信号を送信する。
【００６７】
（２−３）アクセスポイント３０
アクセスポイント３０は、各無線表示器１０と、管理サーバ４０と、の間で送受信される各種信号を中継する中継装置としての役割を担っている。アクセスポイント３０は、所定のプロトコルを用いて管理サーバ４０及び無線表示器１０と通信を行う。各アクセスポイント３０は、物流センター１の天井や側壁等に、他のアクセスポイント３０と所定の間隔を空けて設置されている。
【００６８】
例えば、アクセスポイント３０は、管理サーバ４０から送られた表示データを受信し、表示データの宛先として指定されている無線表示器１０に対して送信（転送）する。表示データがブロードキャスト送信されたものである場合には、アクセスポイント３０は、全ての無線表示器１０に対して表示データを送信（転送）する。
【００６９】
また、例えば、アクセスポイント３０は、第１無線表示器１０ａから送られた登録開始通知信号を受信し、管理サーバ４０に対して送信（転送）する。また、例えば、アクセスポイント３０は、第２無線表示器１０ｂから送られた表示データ受信通知信号を受信し、管理サーバ４０に対して送信（転送）する。
【００７０】
（２−４）管理サーバ４０
管理サーバ４０は、物品の仕分情報（例えば、各集品エリア２における登録処理に係るコンテナ３の数量等）の管理、及び無線表示器１０における表示情報の表示状態の管理等を行う管理装置として機能するコンピュータである。
【００７１】
図５は、管理サーバ４０の概略構成を示したブロック図である。管理サーバ４０は、ＣＰＵや、ＲＡＭ、ＲＯＭ、フラッシュメモリ及びＨＤＤ等のメモリを含み、管理装置として要求される処理を実行するための機能部として、主に、サーバ入出力部４１と、サーバ通信部４２と、サーバ記憶部４３と、入出力制御部４４と、通信制御部４５と、登録管理部４６と、表示データ生成部４７と、を有している。
【００７２】
（２−４−１）サーバ入出力部４１
サーバ入出力部４１は、システム管理者がコマンドを入力し、また、システム管理者に対して情報を表示するインターフェースとしての役割を果たす。サーバ入出力部４１は、入力部としてのキーボードと、出力部としての液晶ディスプレイと、を含む（図示省略）。
【００７３】
（２−４−２）サーバ通信部４２
サーバ通信部４２は、アクセスポイント３０との通信（より詳細にはアクセスポイント３０を介した無線表示器１０との通信）を行うための通信回路及びベースバンドＬＳＩを含んでいる。サーバ通信部４２は、無線表示器１０と通信可能な態様でネットワークＮＷ１に接続されている。
【００７４】
（２−４−３）サーバ記憶部４３
サーバ記憶部４３は、所定の記憶容量を含むメモリであり、主として、プログラム記憶領域４３１と、表示データ記憶領域４３２と、機器所持者記憶領域４３３と、表示器設置情報記憶領域４３４と、集品エリア情報記憶領域４３５と、登録情報記憶領域４３６と、登録開始通知信号記憶領域４３７と、表示データ受信通知信号記憶領域４３８と、登録情報更新フラグ４３９と、を含んでいる。
【００７５】
プログラム記憶領域４３１は、管理サーバ４０の処理や、他の装置との通信に使用される通信プロトコル等が定義された制御プログラムを記憶している。
【００７６】
表示データ記憶領域４３２は、表示データ生成部４７によって生成された表示データを記憶する。
【００７７】
機器所持者記憶領域４３３は、機器所持者テーブルＴＢ１を記憶している。図６は、機器所持者テーブルＴＢ１の模式図である。機器所持者テーブルＴＢ１は、通信機器２０と、当該通信機器２０を割り当てられたスタッフＳＴ（所持者）と、の関係を定義したテーブルである。具体的に、機器所持者テーブルＴＢ１においては、通信機器２０の機器ＩＤと、当該通信機器２０を割り当てられているスタッフＳＴの氏名及びスタッフコードと、が関連付けられて登録されている。係る機器所持者テーブルＴＢ１を参照することで、各通信機器２０の所持者を特定可能である。
【００７８】
例えば、図６の機器所持者テーブルＴＢ１の２行目においては、通信機器２０の機器ＩＤを示す情報「Ｒ０５６７」、所持者を示す情報「鈴木  ＊＊」、及びスタッフコードを示す情報「０４２６」が設定登録されており、機器ＩＤ「Ｒ０５６７」を保有する通信機器２０を、スタッフコード「０４２６」を割り振られている氏名「鈴木  ＊＊」のスタッフＳＴが所持していることが示されている。
【００７９】
機器所持者テーブルＴＢ１は、物流センター１内において、スタッフＳＴに対して新たに通信機器２０が割り当てられる際、システム管理者によって、サーバ入出力部４１に所定の情報を入力されることで生成又は更新される。
【００８０】
表示器設置情報記憶領域４３４は、表示器設置テーブルＴＢ２を記憶している。図７は、表示器設置テーブルＴＢ２の模式図である。表示器設置テーブルＴＢ２は、無線表示器１０と、当該無線表示器１０の設置場所と、の関係を定義したテーブルである。具体的に、表示器設置テーブルＴＢ２においては、無線表示器１０の表示器ＩＤと、機器コードと、設置場所と、が関連付けられて登録されている。
【００８１】
なお、機器コードは、無線表示器１０が第１無線表示器１０ａ及び第２無線表示器１０ｂのいずれであるかを特定する情報であり、第１無線表示器１０ａに対しては機器コード「１」が割り振られ、第２無線表示器１０ｂに対しては機器コード「２」が割り振られる。
【００８２】
係る表示器設置テーブルＴＢ２を参照することで、各無線表示器１０の種別、設置場所（すなわち、各無線表示器１０と集品エリア２又はコンテナ３との対応関係）、を特定可能である。また、表示器設置テーブルＴＢ２を参照することで、第２無線表示器１０ｂが装着されているコンテナ３の数量についても特定可能である。
【００８３】
例えば、図７の表示器設置テーブルＴＢ２の２行目においては、表示器ＩＤを示す情報「Ｆ１３５６」、機器コードを示す情報「１」、及びその設置場所を示す情報「集品エリアＡ１」が設定登録されており、表示器ＩＤ「Ｆ１３５６」を保有する第１無線表示器１０ａが識別コード「Ａ１」を割り振られた集品エリア２に設置されていることが示されている。
【００８４】
また、例えば、図７の表示器設置テーブルＴＢ２の５行目においては、表示器ＩＤを示す情報「Ｆ１４６１」、機器コードを示す情報「２」、及びその設置場所を示す情報「コンテナ１０５」が設定登録されており、表示器ＩＤ「Ｆ１４６１」を保有する第２無線表示器１０ｂが識別番号「１０５」を割り振られたコンテナ３に装着されていることが示されている。
【００８５】
表示器設置テーブルＴＢ２は、物流センター１内において、無線表示器１０が新たに設置される際（すなわち、集品エリア２又はコンテナ３において新たに無線表示器１０が設置される際）、システム管理者によって、サーバ入出力部４１に所定の情報を入力されることで生成又は更新される。
【００８６】
集品エリア情報記憶領域４３５は、集品エリア情報テーブルＴＢ３を記憶している。図８は、集品エリア情報テーブルＴＢ３の模式図である。集品エリア情報テーブルＴＢ３は、各集品エリア２と、配送先と、の関係を定義したテーブルである。具体的に、集品エリア情報テーブルＴＢ３においては、集品エリア２の識別情報と、係る集品エリア２に集められる物品の配送先の店舗番号及び店舗名と、が関連付けられて登録されている。係る集品エリア情報テーブルＴＢ３を参照することで、各集品エリア２と配送先との対応関係を特定可能である。
【００８７】
例えば、図８の集品エリア情報テーブルＴＢ３の２行目においては、集品エリア２の識別コードを示す情報「集品エリアＡ１」、配送先の店舗番号を示す情報「１８１５０４」、及び配送先の店舗名を示す情報「和歌山○○○」が設定登録されており、識別コード「Ａ１」を割り振られた集品エリア２に、店舗番号が「１８１５０４」であって店舗名「和歌山○○○」へ配送される物品が集められることが示されている。
【００８８】
集品エリア情報テーブルＴＢ３は、物流センター１内において、新たに集品エリア２が設置される際、システム管理者によって、サーバ入出力部４１に所定の情報を入力されることで生成又は更新される。
【００８９】
登録情報記憶領域４３６は、登録情報テーブルＴＢ４を記憶している。図９は、登録情報テーブルＴＢ４の模式図である。具体的に、登録情報テーブルＴＢ４は、登録処理に係る情報を管理するためのテーブルである。登録情報テーブルＴＢ４においては、登録処理に係る集品エリア２の識別情報と、登録開始通知信号の送信元の第１無線表示器１０ａの表示機ＩＤと、通信機器２０の機器ＩＤと、担当スタッフＳＴのスタッフコードと、コンテナ３の数量（コンテナ数）と、が関連付けられて登録されている。係る登録情報テーブルＴＢ４を参照することで、各集品エリア２における登録処理に関して、登録開始通知信号を送信した第１無線表示器１０ａと、登録開始信号を送信した通信機器２０と、登録処理を担当したスタッフＳＴと、登録されたコンテナ３の数量と、を特定可能である。
【００９０】
例えば、図９の登録情報テーブルＴＢ４の２行目においては、識別コード「Ａ１」を割り振られた集品エリア２において、スタッフコード「０４２６」のスタッフＳＴのコマンドに基づき、機器ＩＤ「Ｒ０５６７」の通信機器２０から表示器ＩＤ「Ｆ１３５６」の第１無線表示器１０ａに対して登録開始信号が送信され、係る第１無線表示器１０ａから登録開始通知信号が送信されたことが示されている。また、これとともに、識別コード「Ａ１」を割り振られた集品エリア２における登録処理において、３１個のコンテナ３が積まれたことが示されている。
【００９１】
登録情報テーブルＴＢ４は、登録管理部４６によって所定のタイミングで（例えば日付毎に）更新される。
【００９２】
登録開始通知信号記憶領域４３７は、他の機器から送信された信号を記憶している。例えば、登録開始通知信号記憶領域４３７には、第１無線表示器１０ａから送信される登録開始通知信号、及び第２無線表示器１０ｂから送信される表示データ受信通知信号が格納される。
【００９３】
登録情報更新フラグ４３９は、登録情報テーブルＴＢ４が更新されたことを判別するフラグである。登録情報更新フラグ４３９は、所定のビット数を有しており、対応するビットをたてられることで、登録情報テーブルＴＢ４においていずれの集品エリア２に関する内容が更新されたかを判別可能に構成されている。登録情報更新フラグ４３９は、登録情報テーブルＴＢ４が更新された際に、登録管理部４６によって立てられる。
【００９４】
（２−４−４）入出力制御部４４
入出力制御部４４は、サーバ入出力部４１に関する制御を行う機能部である。入出力制御部４４は、サーバ入出力部４１に入力された信号を、サーバ記憶部４３の所定の記憶領域に格納する。また、入出力制御部４４は、サーバ記憶部４３の所定の記憶領域に格納されたデータを、サーバ入出力部４１において出力させる。
【００９５】
（２−４−５）通信制御部４５
通信制御部４５は、他の機器との信号の送受信に関する制御を行う機能部である。通信制御部４５は、サーバ通信部４２を介して受信した信号（例えば、登録開始通知信号及び表示データ受信通知信号等）をサーバ記憶部４３の登録開始通知信号記憶領域４３７において個別に格納する。この際、通信制御部４５は、受信日時に関する情報を含めて格納する。
【００９６】
また、通信制御部４５は、表示データ記憶領域４３２に新たに格納された表示データを、対応する無線表示器１０に対してサーバ通信部４２から送信させる。
【００９７】
（２−４−６）登録管理部４６（集計部）
登録管理部４６は、所定のタイミングで登録情報テーブルＴＢ４を更新する機能部である。具体的に、登録管理部４６は、登録開始通知信号記憶領域４３７に新たな登録開始通知信号が格納されると、これを解読して、登録開始通知信号の送信元の第１無線表示器１０ａの表示器ＩＤ及び登録開始信号の送信元の通信機器２０の機器ＩＤを特定する。
【００９８】
登録管理部４６は、特定した機器ＩＤに基づき、機器所持者テーブルＴＢ１から、登録開始信号を送信させたスタッフＳＴ（より詳細にはスタッフＳＴのスタッフコード）を特定する。また、登録管理部４６は、特定した表示器ＩＤに基づき、表示器設置テーブルＴＢ２から、登録開始信号がいずれの集品エリア２に関するものであるかを特定する。
【００９９】
そして、登録管理部４６は、特定結果に基づき、登録情報テーブルＴＢ４において、登録処理に係る集品エリア２に関し、登録開始通知信号の送信元の第１無線表示器１０ａの表示器ＩＤ、登録開始信号の送信元の通信機器２０の機器ＩＤ、担当スタッフＳＴのスタッフコードを登録して、登録情報テーブルＴＢ４を更新する。登録管理部４６は、この際、登録情報更新フラグ４３９の所定のビットを立てる。
【０１００】
また、登録管理部４６は、所定のタイミングで登録処理に係る集品エリア２におけるコンテナ３の数量を集計して、集計結果に基づき登録情報テーブルＴＢ４を更新する。具体的に、登録管理部４６は、配送先表示データ（後述）の送信後、所定時間が経過したタイミングで表示データ受信通知信号記憶領域４３８に格納されている表示データ受信通知信号の数を集計する。ここで、集計された数量は、配送先表示データを受信した第２無線表示器１０ｂの数であり、より詳細には、当該第２無線表示器１０ｂを装着されたコンテナ３（登録処理が行われている集品エリア２に関して集められたコンテナ３）の数量に相当する。
【０１０１】
登録管理部４６は、集計した表示データ受信通知信号の数（コンテナ３の数量）を、登録情報更新フラグ４３９により特定される集品エリア２から配送されるコンテナ３の数量として、登録情報テーブルＴＢ４に登録することで登録情報テーブルＴＢ４を更新する。その後、登録情報更新フラグ４３９をクリアするとともに、表示データ受信通知信号記憶領域４３８に格納されている表示データ受信通知信号を削除する。
【０１０２】
（２−４−７）表示データ生成部４７
表示データ生成部４７は、無線表示器１０に対して送信する表示データを生成する機能部である。表示データ生成部４７は、サーバ入出力部４１を介して入力されたコマンドに基づき表示データを生成する。例えば、表示データ生成部４７は、サーバ入出力部４１を介して入力されたコマンドに基づき、第１無線表示器１０ａにおいて表示させる表示データ（案内表示データ）を生成する。そして、表示データ生成部４７は、表示器設置テーブルＴＢ２に基づき、生成した案内表示データに係る集品エリア２に配置されている第１無線表示器１０ａの表示器ＩＤを特定し、係る表示器ＩＤを宛先とする情報を案内表示データに付加して表示データ記憶領域４３２に格納する。
【０１０３】
ここで、案内表示データは、第１無線表示器１０ａが配置されている集品エリア２を識別する情報、及び係る集品エリア２に対応する配送先の店舗番号と店舗名を示す情報を含む。図１０は、案内表示データが第１無線表示器１０ａにおいて表示情報として表示される際の一例を示した模式図である。図１０には、第１無線表示器１０ａの情報表示部１３において、当該第１無線表示器１０ａが配置されている集品エリア２の識別コードを示すテキスト「Ａ１」と、係る集品エリア２に対応する配送先の店舗番号を示すテキスト「１８１５０４」及び店舗名を示すテキスト「和歌山○○○」と、が表示される様子が示されている。
【０１０４】
また、例えば、表示データ生成部４７は、登録情報テーブルＴＢ４が更新されたことを契機として、更新内容に基づく表示データ（配送先表示データ）を生成する。具体的に、表示データ生成部４７は、登録情報更新フラグ４３９を定期的に参照し、登録情報テーブルＴＢ４が更新されたか、また、いずれの集品エリア２に関する情報が更新されたか、を判別する。そして、表示データ生成部４７は、登録情報テーブルＴＢ４において更新された集品エリア２に関する配送先表示データを生成して表示データ記憶領域４３２に格納する。この際、表示データ生成部４７は、生成した配送先表示データを、表示器設置テーブルＴＢ２に登録されている各無線表示器１０に対してブロードキャスト送信することを指定するヘッダを付加する。また、表示データ生成部４７は、登録処理に係る通信機器２０の機器ＩＤ（すなわち、配送先表示データに係る集品エリア２において、第２無線表示器１０ｂに対し登録開始信号を送信した通信機器２０の機器ＩＤ）を付加する。
【０１０５】
ここで、配送先表示データは、主として、対応する集品エリア２に集められたコンテナ３に装着されている第２無線表示器１０ｂにおいて表示させることを想定して生成される。配送先表示データには、第２無線表示器１０ｂが装着されているコンテナ３（すなわち配送される物品）が集められた集品エリア２の識別情報と、配送に関する各種情報（配送先の店舗番号と店舗名及び配送日）と、が含まれる。図１１は、配送先表示データが第２無線表示器１０ｂにおいて表示情報として表示される際の一例を示した模式図である。図１１には、第２無線表示器１０ｂの情報表示部１３において、当該第２無線表示器１０ｂが装着されているコンテナ３が集められた集品エリア２の識別コードを示すテキスト「Ａ１」と、係る集品エリア２に対応する配送先の店舗番号を示すテキスト「１８１５０４」と店舗名を示すテキスト「和歌山○○○」と、が表示される様子が示されている。
【０１０６】
（３）各部における処理の流れ
（３−１）第１無線表示器１０ａの処理の流れ
図１２は、第１無線表示器１０ａの登録処理に係る処理の流れの一例を示したフローチャートである。第１無線表示器１０ａは、以下のステップＳ１０１からステップＳ１０９に示すような流れで処理を実行する。なお、ステップＳ１０１―Ｓ１０９の処理の流れについては、適宜変更が可能であり、矛盾が生じない範囲で処理の順序を入れ換えてもよいし、処理を削除又は追加してもよい。
【０１０７】
ステップＳ１０１において、第１無線表示器１０ａは、近距離無線通信により起動信号を受信した場合（すなわち、ＹＥＳの場合）には、ステップＳ１０２へ進む。一方、近距離無線通信により通信機器２０からの起動信号を受信しない場合（すなわち、ＮＯの場合）には、ステップＳ１０１に留まる。
【０１０８】
ステップＳ１０２において、第１無線表示器１０ａは、受信した起動信号に沿って起動状態に遷移する。その後、ステップＳ１０３へ進む。
【０１０９】
ステップＳ１０３において、第１無線表示器１０ａは、近距離無線通信により登録開始信号を受信しない場合（すなわち、ＮＯの場合）には、ステップＳ１０５へ進む。一方、近距離無線通信により登録開始信号を受信した場合（すなわち、ＹＥＳの場合）には、ステップＳ１０４へ進む。
【０１１０】
ステップＳ１０４において、第１無線表示器１０ａは、受信した登録開始信号に表示器ＩＤを含めた登録開始通知信号を、管理サーバ４０へ宛てて送信する。その後、ステップＳ１０５へ進む。
【０１１１】
ステップＳ１０５において、第１無線表示器１０ａは、管理サーバ４０から表示データが送信されない場合（すなわち、ＮＯの場合）には、ステップＳ１０８へ進む。一方、無線通信により管理サーバ４０から表示データが送信された場合（すなわち、ＹＥＳの場合）には、ステップＳ１０６へ進む。
【０１１２】
ステップＳ１０６において、第１無線表示器１０ａは、管理サーバ４０から送信された表示データが自己宛のものか（すなわち、送信された表示データの宛先に自己の通信アドレスが含まれているか）否かを判定する。そして、管理サーバ４０から送信された表示データが自己宛のものでない場合（すなわち、ＮＯの場合）には、ステップＳ１０８へ進む。一方、管理サーバ４０から送信された表示データが自己宛のものである場合（すなわち、ＹＥＳの場合）には、ステップＳ１０７へ進む。
【０１１３】
ステップＳ１０７において、第１無線表示器１０ａは、管理サーバ４０から送信された表示データを受信（取得）し、当該表示データにおいて指定される出力態様で、表示情報を出力（表示）する。その後、ステップＳ１０８へ進む。
【０１１４】
ステップＳ１０８において、第１無線表示器１０ａは、起動状態に遷移してから所定時間ｔ１が経過しない場合（すなわち、ＮＯの場合）には、ステップＳ１０３に戻る。一方、起動状態に遷移してから所定時間ｔ１が経過した場合（すなわち、ＹＥＳの場合）には、ステップＳ１０９へ進む。
【０１１５】
ステップＳ１０９において、第１無線表示器１０ａは、起動状態に遷移してから所定時間ｔ１が経過したことを受けて、待機状態に遷移する。その後、ステップＳ１０１に戻る。
【０１１６】
（３−２）第２無線表示器１０ｂの処理の流れ
図１３は、第２無線表示器１０ｂの登録処理に係る処理の流れの一例を示したフローチャートである。第２無線表示器１０ｂは、以下のステップＳ２０１からステップＳ２１０に示すような流れで処理を実行する。なお、ステップＳ２０１―Ｓ２１０の処理の流れについては、適宜変更が可能であり、矛盾が生じない範囲で処理の順序を入れ換えてもよいし、処理を削除又は追加してもよい。
【０１１７】
ステップＳ２０１において、第２無線表示器１０ｂは、近距離無線通信により起動信号を受信した場合（すなわち、ＹＥＳの場合）には、ステップＳ２０２へ進む。一方、近距離無線通信により通信機器２０からの起動信号を受信しない場合（すなわち、ＮＯの場合）には、ステップＳ２０１に留まる。
【０１１８】
ステップＳ２０２において、第２無線表示器１０ｂは、受信した起動信号に沿って起動状態（表示データを受信可能な受信可能状態）に遷移する。その後、ステップＳ２０３へ進む。
【０１１９】
ステップＳ２０３において、第２無線表示器１０ｂは、近距離無線通信により登録開始信号を受信しない場合（すなわち、ＮＯの場合）には、ステップＳ２０５へ進む。一方、近距離無線通信により登録開始信号を受信した場合（すなわち、ＹＥＳの場合）には、ステップＳ２０４へ進む。
【０１２０】
ステップＳ２０４において、第２無線表示器１０ｂは、受信した登録開始信号に含まれる機器ＩＤを記憶する。その後、ステップＳ２０５へ進む。
【０１２１】
ステップＳ２０５において、第２無線表示器１０ｂは、管理サーバ４０から表示データが送信されない場合（すなわち、ＮＯの場合）には、ステップＳ２０９へ進む。一方、管理サーバ４０から表示データが送信された場合（すなわち、ＹＥＳの場合）には、ステップＳ２０６へ進む。
【０１２２】
ステップＳ２０６において、第２無線表示器１０ｂは、管理サーバ４０から送信された表示データが自己宛のものか（すなわち、管理サーバ４０から送信された表示データに、自己が記憶している機器ＩＤが含まれているか）否かを判定する。そして、管理サーバ４０から送信された表示データが自己宛のものでない場合（すなわち、ＮＯの場合）には、ステップＳ２０９へ進む。一方、管理サーバ４０から送信された表示データが自己宛のものである場合（すなわち、ＹＥＳの場合）には、ステップＳ２０７へ進む。
【０１２３】
ステップＳ２０７において、第２無線表示器１０ｂは、管理サーバ４０から送信された表示データを受信（取得）し、当該表示データにおいて指定される出力態様で、表示情報を出力（表示）する。その後、ステップＳ２０８へ進む。
【０１２４】
ステップＳ２０８において、第２無線表示器１０ｂは、表示データ受信通知信号を管理サーバ４０へ送信する。その後、ステップＳ２０９へ進む。
【０１２５】
ステップＳ２０９において、第２無線表示器１０ｂは、起動状態に遷移してから所定時間ｔ１が経過しない場合（すなわち、ＮＯの場合）には、ステップＳ２０３に戻る。一方、起動状態に遷移してから所定時間ｔ１が経過した場合（すなわち、ＹＥＳの場合）には、ステップＳ２１０へ進む。
【０１２６】
ステップＳ２１０において、第２無線表示器１０ｂは、起動状態に遷移してから所定時間ｔ１が経過したことを受けて、待機状態に遷移する。その後、ステップＳ２０１に戻る。
【０１２７】
（３−３）管理サーバ４０の処理の流れ
図１４は、管理サーバ４０の登録処理に係る処理の流れの一例を示したフローチャートである。管理サーバ４０は、例えば、図１４に示すステップＳ３０１からステップＳ３０９に示すような流れで処理を実行する。なお、ステップＳ３０１−Ｓ３０９に示す処理の流れについては、適宜変更が可能であり、矛盾が生じない範囲で処理の順序を入れ換えてもよいし、処理を削除又は追加してもよい。
【０１２８】
ステップＳ３０１において、管理サーバ４０は、登録開始通知信号を受信しない場合（すなわち、ＮＯの場合）には、ステップＳ３０１に留まる。一方、登録開始通知信号を受信した場合（すなわち、ＹＥＳの場合）には、ステップＳ３０２へ進む。
【０１２９】
ステップＳ３０２において、管理サーバ４０は、機器所持者テーブルＴＢ１及び表示器設置テーブルＴＢ２を参照して、受信した登録開始通知信号に基づき、登録処理が行われる集品エリア２、及び登録処理を担当するスタッフＳＴを特定する。その後、ステップＳ３０３へ進む。
【０１３０】
ステップＳ３０３において、管理サーバ４０は、特定内容に基づき登録情報テーブルＴＢ４を更新する。その後、ステップＳ３０４へ進む。
【０１３１】
ステップＳ３０４において、管理サーバ４０は、登録情報テーブルＴＢ４の更新内容に沿って表示データ（配送先表示データ）を生成する。管理サーバ４０は、生成した配送先表示データに、登録開始通知信号に含まれる機器ＩＤを付加して、各無線表示器１０に対してブロードキャスト送信を行う。その後、ステップＳ３０５へ進む。
【０１３２】
ステップＳ３０５において、管理サーバ４０は、表示データ受信通知信号を受信しない場合（すなわち、ＮＯの場合）には、ステップＳ３０６へ進む。一方、表示データ受信通知信号を受信した場合（すなわち、ＹＥＳの場合）には、ステップＳ３０７へ進む。
【０１３３】
ステップＳ３０６において、管理サーバ４０は、送信した配送先表示データに対する応答としての表示データ受信通知信号を、いずれの第２無線表示器１０ｂからも所定の時間を越えても受信しない場合には、登録処理にエラーが生じていること（具体的には、いずれの第２無線表示器１０ｂとも通信が行えない状態にあること）を示す情報をサーバ入出力部４１に表示させることで、システム管理者に報知する。その後、ステップＳ３０１に戻る。
【０１３４】
ステップＳ３０７において、管理サーバ４０は、受信した表示データ受信通知信号を表示データ受信通知信号記憶領域４３８に記憶する。その後、ステップＳ３０８へ進む。
【０１３５】
ステップＳ３０８において、管理サーバ４０は、配送先表示データの送信後、所定時間が経過したタイミングで、表示データ受信通知信号記憶領域４３８に記憶している表示データ受信通知信号の数を集計する。その後、ステップＳ３０９へ進む。
【０１３６】
ステップＳ３０９において、管理サーバ４０は、集計した表示データ受信通知信号の数を、登録処理に係る集品エリア２から配送されるコンテナ３の数量として登録情報テーブルＴＢ４において登録して、登録情報テーブルＴＢ４を更新する。それから、管理サーバ４０は、表示データ受信通知信号記憶領域４３８に格納されている表示データ受信通知信号を削除する。その後、ステップＳ３０１に戻る。
【０１３７】
（４）仕分けシステム１００の処理
図１５は、仕分けシステム１００において、いずれかの集品エリア２における登録処理に関し、第１無線表示器１０ａ、第２無線表示器１０ｂ、通信機器２０、及び管理サーバ４０間で行われる処理の一例を模式的に示したシーケンス図である。なお、図１５において図示は省略しているが、第１無線表示器１０ａ又は第２無線表示器１０ｂと、管理サーバ４０と、の間において送受信される信号は、アクセスポイント３０によって中継される。また、説明を簡略化するために、図１５において第２無線表示器１０ｂについては１台のみを図示している。
【０１３８】
（４−１）期間Ｓ１
図１５の期間Ｓ１においては、スタッフＳＴによって登録処理が開始されてから、第１無線表示器１０ａから登録開始通知信号が送信されるまでの処理が示されている。期間Ｓ１に示すように、仕分けシステム１００では、いずれかの集品エリア２において登録処理を開始するスタッフＳＴによって、当該集品エリア２に配置された第１無線表示器１０ａに対して通信機器２０が接近されると、第１無線表示器１０ａ及び通信機器２０間で近距離無線通信が行われる。
【０１３９】
係る近距離無線通信においては、通信機器２０から第１無線表示器１０ａへ起動信号が送られる。起動信号を受信した第１無線表示器１０ａは、起動状態に遷移する。
【０１４０】
また、係る近距離無線通信においては、通信機器２０から第１無線表示器１０ａへ登録開始信号が送られる。登録開始信号を受信した第１無線表示器１０ａは、受信した登録開始信号に自己の表示機ＩＤを含めた登録開始通知信号を、管理サーバ４０に対して送信する。
【０１４１】
（４−２）期間Ｓ２
図１５の期間Ｓ２においては、管理サーバ４０が登録開始通知信号を受信してから、配送先表示データを生成するまでの処理が示されている。期間Ｓ２に示すように、仕分けシステム１００では、第１無線表示器１０ａから管理サーバ４０に登録開始通知信号が送信されると、管理サーバ４０は、登録開始通知信号に含まれる機器ＩＤ及び表示器ＩＤに基づき、機器所持者テーブルＴＢ１及び表示器設置テーブルＴＢ２に沿って、登録処理が行われる集品エリア２、及び登録処理を担当するスタッフＳＴを特定する。そして、管理サーバ４０は、特定した内容に基づき登録情報テーブルＴＢ４を更新する。
【０１４２】
また、登録処理を担当するスタッフＳＴによって、登録処理が行われる集品エリア２に集められたコンテナ３に装着されている第２無線表示器１０ｂに対して通信機器２０が接近されると、第２無線表示器１０ｂ及び通信機器２０間で近距離無線通信が行われる。
【０１４３】
係る近距離無線通信においては、通信機器２０から第２無線表示器１０ｂへ起動信号が送られる。起動信号を受信した第２無線表示器１０ｂは、起動状態に遷移する。
【０１４４】
また、係る近距離無線通信においては、通信機器２０から第２無線表示器１０ｂへ登録開始信号が送られる。登録開始信号を受信した第２無線表示器１０ｂは、受信した登録開始信号に含まれる機器ＩＤを記憶する。
【０１４５】
また、登録情報テーブルＴＢ４を更新した管理サーバ４０は、更新内容に応じて対応する集品エリア２に関する配送先表示データを生成する。
【０１４６】
（４−３）期間Ｓ３
図１５の期間Ｓ３においては、管理サーバ４０から配送先表示データが生成されてから第１無線表示器１０ａが待機状態に遷移するまでの処理が示されている。期間Ｓ３に示すように、仕分けシステム１００では、管理サーバ４０は、生成した配送先表示データを、各無線表示器１０に対してブロードキャスト送信する。
【０１４７】
第２無線表示器１０ｂは、管理サーバ４０から送信された配送先表示データが自己宛のものであるか（すなわち、配送先表示データに、自己が記憶している機器ＩＤが付加されているか）否かを判断する判断処理を行う。係る判断処理の結果、管理サーバ４０から送信された配送先表示データが自己宛のものであると判断した第２無線表示器１０ｂは、係る配送先表示データを受信（取得）し、対応する表示情報を、指定される出力態様で表示する。
【０１４８】
また、期間Ｓ３に示すように、仕分けシステム１００では、第１無線表示器１０ａは、起動状態に遷移してから所定時間ｔ１が経過すると、待機状態に遷移する。
【０１４９】
（４−４）期間Ｓ４
図１５の期間Ｓ４においては、第２無線表示器１０ｂにおいて配送先表示データに係る表示情報が表示されてから、第２無線表示器１０ｂが待機状態に遷移するまでの処理が示されている。期間Ｓ４に示すように、仕分けシステム１００では、配送先表示データを受信して表示した第２無線表示器１０ｂは、管理サーバ４０に対して、表示データ受信通知信号を送信する。
【０１５０】
表示データ受信通知信号を受信した管理サーバ４０は、係る表示データ受信通知信号を表示データ受信通知信号記憶領域４３８において記憶する。また、管理サーバ４０は、配送先表示データを送信してから所定時間が経過した後、表示データ受信通知信号記憶領域４３８において記憶している表示データ受信通知信号の数（すなわち、登録処理に係る集品エリア２に集められたコンテナ３の数）を集計する。そして、管理サーバ４０は、集計した表示データ受信通知信号の数を、登録処理に係る集品エリア２から配送されるコンテナ３の数量として登録情報テーブルＴＢ４において登録することで、登録情報テーブルＴＢ４を更新する。
【０１５１】
また、期間Ｓ４に示すように、仕分けシステム１００では、第２無線表示器１０ｂは、起動状態に遷移してから所定時間ｔ１が経過すると待機状態に遷移する。
【０１５２】
（５）仕分けシステム１００の特徴
（５−１）
上記実施形態に係る仕分けシステム１００では、仕分け作業に係る労力が低減されるとともに、物品の仕分けに係る精度に優れている。
【０１５３】
すなわち、スーパーマーケットやコンビニエンスストア等に物品を配送する配送センターにて、物品の仕分け作業の一部を自動化して仕分けに係る労力を低減する仕分けシステムにおいては、従来、配送先の店舗別に配送される物品を集める集品エリアにおいて、物品を収容する配送コンテナの数を集計する個数表示器が配置され、個数表示器に入力される情報に基づき、配送先の店舗名、商品名及び個数等の配送情報を印字したラベルを発行するという思想が提案されており、係る思想によりラベル発行に係る労力が削減可能である。
【０１５４】
しかし、係る思想によると、仕分け作業の作業者が、ラベルプリンタにより発行されたラベルを取りに行き、対応する配送コンテナにラベルを貼付する必要があるため、ラベル貼付に係る労力を要する。また、人手を介してラベルが配送コンテナに貼り付けられるため、ラベルの貼付ミスが生じうる。すなわち、物品が正確に仕分けられないケースも想定される。
【０１５５】
この点、上記実施形態に係る仕分けシステム１００では、第１無線表示器１０ａは、近距離無線通信部１２において通信機器２０と近距離無線通信を行うことを契機として登録開始通知信号を無線通信部１１から管理サーバ４０へ送信している。そして、管理サーバ４０は、登録開始通知信号を受信することを契機として、登録開始通知信号の送信元の第１無線表示器１０ａ（すなわち、当該第１無線表示器１０ａが配置されている集品エリア２）に対応する表示データ（配送先表示データ）を表示データ生成部４７によって生成し、生成された配送先表示データをサーバ通信部４２によって第２無線表示器１０ｂへ送信するように構成されている。
【０１５６】
これにより、第１無線表示器１０ａ及び第２無線表示器１０ｂと、通信機器２０と、が接近されると、管理サーバ４０から第２無線表示器１０ｂに配送先表示データが送信されるようになっている。すなわち、仕分け作業（登録処理）の作業者（スタッフＳＴ）が、第１無線表示器１０ａ及び第２無線表示器１０ｂに対して通信機器２０を接近させるのみで、コンテナ３においてラベルに代えて配置された第２無線表示器１０ｂに対して配送先表示データが送信され、対応する第２無線表示器１０ｂにおいて配送先に係る情報が表示されるようになっている。
【０１５７】
よって、作業者が、コンテナ３にラベルを貼付する必要がなく、ラベル貼付に係る労力が削減されている。また、作業者によるコンテナ３へのラベルの貼付ミスが生じえない。そして、第２無線表示器１０ｂにおいては管理サーバ４０から送信された配送先表示データが送信されるため、物品が正確に仕分けられない事態が抑制されている。
【０１５８】
したがって、仕分け作業に係る労力が低減されるとともに、物品の仕分けに係る精度に優れている。
【０１５９】
（５−２）
上記実施形態に係る仕分けシステム１００では、第２無線表示器１０ｂは、近距離無線通信部１２において通信機器２０と近距離無線通信を行うことを契機として、無線通信部１１において表示データを受信可能な状態である起動状態（受信可能状態）となっている。これにより、通信機器２０と近距離無線通信を行った第２無線表示器１０ｂのみが、管理サーバ４０から送信された配送先表示データを受信するようになっている。すなわち、作業者が通信機器２０を接近させた特定の第２無線表示器１０ｂのみにおいて、対応する配送先表示データが受信され表示されるようになっている。その結果、第２無線表示器１０ｂにおいて、関連性のない他の集品エリア２の配送情報が表示されることが抑制されている。よって、仕分け作業に係る労力が低減されるとともに、物品の仕分けに係る精度に優れている。
【０１６０】
（５−３）
上記実施形態に係る仕分けシステム１００では、第１無線表示器１０ａ及び第２無線表示器１０ｂは、近距離無線通信部１２において通信機器２０と近距離無線通信を行うことにより、通信機器２０を識別する機器識別情報を受信している。そのうえで、第１無線表示器１０ａは、機器識別情報を登録開始通知信号に含めて管理サーバ４０へ送信している。また、管理サーバ４０は、受信した機器識別情報を配送先表示データに含めて第２無線表示器１０ｂへ送信している。また、第２無線表示器１０ｂは、管理サーバ４０から送信された配送先表示データが自己宛に送信されたものであるか否かを、配送先表示データに含まれる機器ＩＤ（識別情報）に基づき判断する取得部１５４を有している。
【０１６１】
これにより、通信機器２０と近距離無線通信を行った第２無線表示器１０ｂのみが、管理サーバ４０から送信された配送先表示データを受信するようになっている。すなわち、作業者が通信機器２０を接近させた特定の第２無線表示器１０ｂのみにおいて、対応する配送先表示データが受信され表示されるようになっている。その結果、第２無線表示器１０ｂにおいて、関連性のない他の集品エリア２の配送情報が表示されることが抑制される。よって、仕分け作業に係る労力が低減されるとともに、物品の仕分けに係る精度に優れている。
【０１６２】
（５−４）
上記実施形態に係る仕分けシステム１００では、配送先表示データには、配送先の店舗名を示す情報が含まれている。
【０１６３】
これにより、通信機器２０と近距離無線通信を行った第２無線表示器１０ｂにおいて、配送先の店舗名が表示されるようになっている。その結果、コンテナ３の視認者に、いずれの店舗へ配送されるコンテナ３であるかを判別させることが容易に可能となっている。このため、コンテナ３の誤配や配送漏れを抑制することが可能となっている。よって、仕分け作業に係る労力が低減されるとともに、物品の仕分け後の積み込みや配送作業に係る精度及び利便性に優れている。
【０１６４】
（５−５）
上記実施形態に係る仕分けシステム１００では、配送先表示データを受信した第２無線表示器１０ｂは、配送先表示データを受信したことを通知する受信通知信号を無線通信部１１によって管理サーバ４０へ送信している。
【０１６５】
これにより、管理サーバ４０において、受信通知信号を利用して各種処理を実行することが可能となっている。例えば、管理サーバ４０は、受信通知信号を受信しない場合に、配送先表示データの通信異常が生じていると判定して作業者に報知することが可能となっている。また、例えば、受信通知信号の数に応じて配送されるコンテナ３の数を集計することが可能となっている。よって、利便性に優れている。
【０１６６】
（５−６）
上記実施形態に係る仕分けシステム１００では、管理サーバ４０は、登録管理部４６をさらに有している。登録管理部４６は、サーバ通信部４２において受信した受信通知信号の数に基づき、配送先の店舗毎に配送されるコンテナ３の数を集計している。
【０１６７】
これにより、管理サーバ４０において配送されるコンテナ３の数が集計されるようになっている。すなわち、配送されたコンテナ３の数を自動で集計することが可能となっている。その結果、集計結果を用いた各種情報管理を行うことが可能となっている。よって、コンテナ３の管理が行いやすくなっており利便性に優れている。
【０１６８】
（６）変形例
上記実施形態の仕分けシステム１００は、以下の変形例に示すように適宜変形が可能である。なお、各変形例は、矛盾が生じない範囲で他の変形例と組み合わせて適用されてもよい。
【０１６９】
（６−１）変形例Ａ
上記実施形態では、管理サーバ４０は、登録管理部４６が受信した表示データ受信通知信号の数を集計することによって、登録処理が行われた集品エリア２から配送されるコンテナ３の数量を集計していた。そのうえで、上記実施形態では、コンテナ３の数量の集計結果に係る利用方法について特に限定していなかった。しかし、コンテナ３の数量の集計結果については、設置環境や設計仕様に応じて最適な態様で活用されればよい。
【０１７０】
例えば、管理サーバ４０がコンテナ３の数量に対応する表示データを生成して、コンテナ３の数量が集計された集品エリア２に存在する第１無線表示器１０ａ及び／又は第２無線表示器１０ｂにおいて、図１６に示すような態様でコンテナ３の数量を表示させてもよい。図１６においては、配送先表示データで示される表示情報に加えて、コンテナ３の数量に係る情報「３１」が表示されている。
【０１７１】
係る場合、登録管理部４６が登録情報テーブルＴＢ４においてコンテナ３の数量を登録したタイミングで、表示データ生成部４７が、コンテナ３の数量を示す情報を含む配送先表示データを生成して、表示データ記憶領域４３２に格納するように構成すればよい。
【０１７２】
このように構成することで、通信機器２０と近距離無線通信を行った第２無線表示器１０ｂにおいて、集品エリア２内のコンテナ３の数量が表示される。よって、コンテナ３の誤配、配送漏れ、又は回収漏れ等が抑制される。
【０１７３】
また、係る場合、コンテナ３の数量が集計された集品エリア２に存在する第２無線表示器１０ｂにおいて、図１７に示すような態様でコンテナ３の数量を表示させてもよい。図１７においては、配送先表示データで示される表示情報に加えて、コンテナ３の数量に係る情報「４／３１」が表示されており、係る表示情報を表示している第２無線表示器１０ｂに対応するコンテナ３が３１個中４番目に該当することが示されている。
【０１７４】
このように表示することで、配送や積み込みを担当するスタッフＳＴが作業を行いやすくなり、利便性がさらに向上する。なお、当該構成を実現する場合、管理サーバ４０が係る表示データの送信先である第２無線表示器１０ｂの表示器ＩＤを特定する必要があるが、表示データ受信通知信号に含まれる第２無線表示器１０ｂの表示器ＩＤを取得することで、送信対象の第２無線表示器１０ｂの表示器ＩＤを特定可能である。
【０１７５】
（６−２）変形例Ｂ
上記実施形態では、管理サーバ４０は、配送先表示データに機器ＩＤを付加して各無線表示器１０に対してブロードキャスト送信していた。しかし、配送先表示データの送信態様については必ずしもこれに限定されず、適宜変更が可能である。
【０１７６】
例えば、管理サーバ４０は、配送先表示データを各無線表示器１０に対してブロードキャスト送信するのではなく、登録処理の対象となっているコンテナ３に装着されている第２無線表示器１０ｂのみを宛先として配送先表示データを送信してもよい。係る構成による場合でも、上記実施形態と同様の効果を奏する。
【０１７７】
但し、当該構成を実現するうえで、管理サーバ４０が表示データを送信する前に、送信先である第２無線表示器１０ｂの表示器ＩＤを特定する必要がある。よって、例えば、近距離無線通信によって通信機器２０から登録開始信号を受信した第２無線表示器１０ｂが、自己の表示器ＩＤを含む伝送信号を管理サーバ４０に対して送信し、管理サーバ４０が受信した伝送信号に基づき、表示データの送信先である第２無線表示器１０ｂの表示器ＩＤを特定するように構成すればよい。
【０１７８】
また、例えば、担当スタッフＳＴが登録処理において、通信機器２０を、登録処理の対象となっている各コンテナ３に装着されている第２無線表示器１０ｂに近接させるようにする。そのうえで、通信機器２０が近距離無線通信によって係る第２無線表示器１０ｂの表示器ＩＤを取得するように構成する。そして、通信機器２０に無線通信機能をもたせ、各第２無線表示器１０ｂの表示器ＩＤを含む伝送信号を、通信機器２０から管理サーバ４０へ送信するように構成してもよい。
【０１７９】
あるいは、第２無線表示器１０ｂの表示器ＩＤを取得した通信機器２０から、近距離無線通信により第１無線表示器１０ａに各第２無線表示器１０ｂの表示器ＩＤを送り、第１無線表示器１０ａから管理サーバ４０へ各第２無線表示器１０ｂの表示器ＩＤを含む伝送信号を送信するように構成してもよい。
【０１８０】
（６−３）変形例Ｃ
上記実施形態では、仕分けシステム１００は、第１無線表示器１０ａと通信機器２０との近距離無線通信が行われることを契機として、第１無線表示器１０ａから登録開始通知信号が管理サーバ４０に対して送信されるように構成されていた。
【０１８１】
しかし、これに限定されず、第１無線表示器１０ａと通信機器２０との近距離無線通信が行われることを契機として、通信機器２０から登録開始通知信号が管理サーバ４０に対して送信されるように変更してもよい。係る構成による場合でも、上記実施形態と同様の効果を奏する。
【０１８２】
なお、係る場合、第１無線表示器１０ａは、通信機器２０との近距離無線通信によって自己の表示器ＩＤを通信機器２０へ送信するように構成されればよい。また、通信機器２０は、ネットワークＮＷ１にアクセス可能な無線通信機能を有し、受信した表示器ＩＤ、及び登録開始通知信号を管理サーバ４０に対して送信するように構成されればよい。
【０１８３】
（６−４）変形例Ｄ
上記実施形態では、通信機器２０は、例えば、スマートフォンやタブレットＰＣ等の情報処理端末を想定していた。しかし、通信機器２０は、無線表示器１０との近距離無線通信が可能に構成され、登録開始信号とともに機器ＩＤを無線表示器１０に送信可能な機器であれば、いかなるものであってもよい。例えば、通信機器２０は、ＩＣカード（integrated circuit card）やハンディターミナル、又は近接スイッチを含む機器等であってもよい。
【０１８４】
（６−５）変形例Ｅ
上記実施形態では、仕分けシステム１００は、物流センター１に適用されていた。しかし、仕分けシステム１００が適用される環境は、必ずしも物流センター１に限定されず、例えば、仕分け作業を行う他の施設（例えば工場、商業施設、公共施設又はオフィス等）において適用されてもよい。
【０１８５】
（６−６）変形例Ｆ
上記実施形態において、ネットワークＮＷ１は、公衆回線を用いて構築されるＷＡＮ（Wide Area Network）であったが、物流センター１において構築されるＬＡＮ（Local Area Network）であってもよい。
【０１８６】
（６−７）変形例Ｇ
上記実施形態では、無線表示器１０が起動状態となってから待機状態となるまでの所定時間ｔ１は１分に設定されていた。しかし、所定時間ｔ１は、設置環境や設計仕様に応じて適宜変更が可能である。例えば、所定時間ｔ１は１０分に設定されてもよく、又は３０秒に設定されてもよい。
【０１８７】
（６−８）変形例Ｈ
上記実施形態では、無線表示器１０の情報表示部１３は、電子ペーパを有していた。しかし、情報表示部１３は、電子ペーパに代えて、液晶及び液晶駆動電極部を含む液晶部を有していてもよい。係る場合には、表示器制御部１５によって液晶の動作の制御を行うように構成すればよい。
【０１８８】
（６−９）変形例Ｉ
上記実施形態では、無線表示器１０の台数、通信機器２０の台数、及びアクセスポイント３０の台数については、特に限定されていなかったが、仕分けシステム１００では、設置環境に適した台数の無線表示器１０、通信機器２０、及びアクセスポイント３０を有していればよい。
【０１８９】
（６−１０）変形例Ｊ
上記実施形態において、管理サーバ４０に含まれるユニット（４３〜４７）のいずれかについては、必ずしも管理サーバ４０内に配置される必要はなく、通信可能な態様で配置される限り、他の機器内に配置されてもよいし、独立して配置されてもよい。また、管理サーバ４０に含まれるユニット（４３〜４７）のいずれかについては、通信可能な態様で配置される限り、物流センター１から離れた遠隔地に配置されてもよい。
【０１９０】
（６−１１）変形例Ｋ
上記実施形態において、通信機器２０は、各スタッフＳＴに割り当てられていた。しかし、必ずしも各スタッフＳＴに通信機器２０が割り当てられる必要はなく、例えば複数のスタッフＳＴが１台の通信機器２０を共有するようにしてもよい。係る場合、機器所持者テーブルＴＢ１によって、通信機器２０の共有者が特定されればよい。
【産業上の利用可能性】
【０１９１】
本発明は、仕分けシステムに利用可能である。
【符号の説明】
【０１９２】
１                  ：物流センター
２                  ：集品エリア
３                  ：コンテナ
１０                ：無線表示器
１０ａ              ：第１無線表示器
１０ｂ              ：第２無線表示器
１１                ：無線通信部
１２                ：近距離無線通信部
１３                ：情報表示部（表示部）
１４                ：電源部
１５                ：表示器制御部
１６                ：電源制御部
２０                ：通信機器
２１                ：機器通信部
２２                ：機器電源部
２３                ：機器入力部
２４                ：機器制御部
３０                ：アクセスポイント
４０                ：管理サーバ
４１                ：サーバ入出力部
４２                ：サーバ通信部
４３                ：サーバ記憶部
４５                ：通信制御部
４６                ：登録管理部（集計部）
４７                ：表示データ生成部
１００              ：仕分けシステム
１５１              ：表示器記憶部
１５２              ：表示制御部
１５３              ：登録制御部
１５４              ：取得部（判断部）
１６１              ：切換部
２４１              ：機器記憶部
２４２              ：出力制御部
ＮＷ１              ：ネットワーク
ＮＷ２              ：ネットワーク
ＮＷ３              ：近距離無線ネットワーク
ＳＴ                ：スタッフ
ＴＢ１              ：機器所持者テーブル
ＴＢ２              ：表示器設置テーブル
ＴＢ３              ：集品エリア情報テーブル
ＴＢ４              ：登録情報テーブル
【先行技術文献】
【特許文献】
【０１９３】
【特許文献１】特開平９−１８８４０３号公報
【図１】
2017124881.tif 000003
【図２】
2017124881.tif 000004
【図３】
2017124881.tif 000005
【図４】
2017124881.tif 000006
【図５】
2017124881.tif 000007
【図６】
2017124881.tif 000008
【図７】
2017124881.tif 000009
【図８】
2017124881.tif 000010
【図９】
2017124881.tif 000011
【図１０】
2017124881.tif 000012
【図１１】
2017124881.tif 000013
【図１２】
2017124881.tif 000014
【図１３】
2017124881.tif 000015
【図１４】
2017124881.tif 000016
【図１５】
2017124881.tif 000017
【図１６】
2017124881.tif 000018
【図１７】
2017124881.tif 000019